(57)【要約】【課題】サドルを受け乗せ部材に設け、受け乗せ部材は駆動されて底座に相対して楕円形の行程を行い、安定して動くライディングマシンを提供する。【解決手段】クランク１３を有する底座１０と、移動可能に底座１０に取り付けられ、前端は連結部材１６に連結される受け乗せ部材３０と、受け乗せ部材３０に取り付けられて使用者を支えるサドル３７と、枢軸６１を用いて底座１０に回転可能に接続されるサスペンションアーム６０と、を備え、連結部材１６は、枢軸６５を用いてサスペンションアーム６０に回転可能に接続される。【選択図】  図１
0003146075.tif 000002
【実用新案登録請求の範囲】
【請求項１】
クランク（１３）を有する底座（１０）と、
移動可能に前記底座（１０）に取り付けられ、前端は連結部材（１６）に連結される受け乗せ部材（３０）と、
前記受け乗せ部材（３０）に取り付けられて使用者を支えるサドル（３７）と、
枢軸（６１）を用いて前記底座（１０）に回転可能に接続されるサスペンションアーム（６０）と、
を備え、
前記連結部材（１６）は、枢軸（６５）を用いて前記サスペンションアーム（６０）に回転可能に接続されることを特徴とするライディングマシン。
【請求項２】
前記底座（１０）へ回転可能に接続される一対の作動棒（４０）を備え、
前記作動棒（４０）の一端（４３）は、前記クランク（１３）に連結されることを特徴とする請求項１記載のライディングマシン。
【請求項３】
前記受け乗せ部材（３０）の後端（３５）は、動揺棒（３９）を用いて前記クランク（１３）に連結されることを特徴とする請求項１記載のライディングマシン。
【考案の詳細な説明】
【技術分野】
【０００１】
本考案はライディングマシン（ｒｉｄｉｎｇ  ｍａｃｈｉｎｅ）に関し、特に、楕円形に安定して動くライディングマシンに関する。
【背景技術】
【０００２】
現在使われているライディングマシンの駆動装置とサドルとは、底座のやや高い個所に設けられ、かつ駆動装置は、瞬間的にサドルを往復作動させるので、作動はかなり激しく怪我しやすい。
【考案の開示】
【考案が解決しようとする課題】
【０００３】
本考案の目的は、サドルを受け乗せ部材に設け、受け乗せ部材は駆動されて底座に相対して楕円形の行程を行い、安定して動くライディングマシンを提供することにある。
【課題を解決するための手段】
【０００４】
本考案によるライディングマシンは、クランク（ｃｒａｎｋ）を有する底座と、移動可能に底座に取り付けられ、前端は連結部材に連結される受け乗せ部材と、受け乗せ部材に取り付けられて使用者を支えるサドル（ｓａｄｄｌｅ）と、枢軸を用いて底座に回転可能に接続されるサスペンションアームと、を備え、連結部材は、枢軸を用いてサスペンションアーム（ｓｕｓｐｅｎｓｉｏｎ  ａｒｍ）に回転可能に接続される。
【考案を実施するための最良の形態】
【０００５】
以下、本発明の実施の形態を図面に基づいて説明する。
（一実施形態）
本考案の一実施形態によるライディングマシンは、底座１０を含み、支柱１１は底座１０の前部個所１８に設けられ、支え１２は底座１０の後部個所19に設けられる。少なくとも一つのクランク１３は枢軸１４を用いて支え１２に枢接され、別の枢軸１５は各クランク１３の末端に設けられる。受け乗せ部材３０は、少なくとも一本の棒３１、３２が含まれる。棒３１、３２の前端３３は、連結部材１６と枢軸１７を用いて支柱１１に連結され、これによって、棒３１、３２の前端３３は前後に移動することができる。支え棒３４は、棒３１、３２の間に連結され、棒３１、３２の後部個所３５は直接クランク１３の枢軸１５に連結され、または、動揺棒５０を用いて動揺するようクランク１３の枢軸１５に連結される（図５、６参照）。殻体３６は、支え棒３４に設けられてサドル３７を支えて使用者８の騎乗に供される。サドル３７は、殻体３６にスライド（ｓｌｉｄｅ）するように設けられる座棒３８を含み、かつ固定部材３９を用いて調整可能に殻体３６に固定され、サドル３７の上下位置の調整に供される。
【０００６】
受け乗せ部材３０は連結部材１６を用いて底座１０に相対して前後または水平に移動することができる。後部個所３５は直接クランク１３の枢軸１５に連結され、または動揺棒５０を用いて動揺するようクランク１３の枢軸１５に連結され、それによって受け乗せ部材３０とサドル３７は底座１０に相対して楕円形の作動を行うことができ、騎乗者は腰をねじり、または馬乗りの揺れ動作を用いて受け乗せ部材３０とサドル３７を楕円形に作動させることができる。フライホイール（ｆｌｙｗｈｅｅｌ）２０は枢軸１４を用いて底座１０の支え１２に回転可能に接続され、重り２１は枢軸２３を用いて底座１０の延伸棒２２に回転可能に接続され、並びに連結装置または歯車またはチェーン（ｃｈａｉｎ）またはベルト（ｂｅｌｔ）２４を用いてフライホイール２０に連結される。これによって、重り２１とフライホイール２０とは、クランク１３と枢軸１５とに対して阻止力を提供することができる。
【０００７】
駆動装置４は二本の作動棒４０を含み、作動棒４０の中間個所４１は枢軸４２を用いて底座１０の支え１２に回転可能に接続され、駆動装置４の末端個所４３は連動棒４４を用いてクランク１３の枢軸１５に連結され、クランク１３と枢軸１４及び受け乗せ部材３０とサドル３７は楕円形に作動するよう駆動される（図５、６参照）。駆動装置４の別の一端または前端個所には、騎乗者の足を載せるための踏み板４５が設けられる。踏み板４５が載せられまたは作動棒４０が使用された場合、クランク１３と枢軸１４とは駆動されて回転し、更に進んで受け乗せ部材３０とサドル３７とは楕円形に作動することができる。
【０００８】
サスペンションアーム６０は枢軸６１を用いて前後に作動できるよう支柱１１に回転可能に接続される。連結部材１６の頂上端６４は、別の枢軸６５を用いてサスペンションアーム６０に回転可能に接続される。枢軸６５、６１は個別に離れる。連動棒６２はクランク１３に連結され、並びに枢軸６３を用いてサスペンションアーム６０に連結し、クランク１３は連動棒６２によってサスペンションアーム６０を作動することができる。枢軸６３、６１、６５は個別に離れ、枢軸６５はできれば枢軸６１、６３の間に設けられる。サスペンションアーム６０が底座１０の支柱１１に相対して動揺した場合、連結部材１６は上下に移動し、受け乗せ部材３０の前端３３は底座１０に相対して上下に移動することができる。
【図面の簡単な説明】
【０００９】
【図１】本考案の一実施形態によるライディングマシンの斜視図である。
【図２】本考案の一実施形態によるライディングマシンの斜視図である。
【図３】本考案の一実施形態によるライディングマシンの分解斜視図である。
【図４】本考案の一実施形態によるライディングマシンの分解斜視図である。
【図５】本考案の一実施形態によるライディングマシンの作動を示す側面図である。
【図６】本考案の一実施形態によるライディングマシンを示す側面図である。
【符号の説明】
【００１０】
１０：底座、１１：支柱、１２：支え、１３：クランク、１４：枢軸、１５：枢軸、１６：連結部材、１７：枢軸、１８：前部個所、１９：後部個所、２０：駆動装置、２１：フライホイール、２２：枢軸、２３：モータ、２４：軸、２５：連結装置、２６：重り、２７：連結装置、３０：受け乗せ部材、３１：棒、３２：棒、３３：前端、３４：支え棒、３５：後部個所、３６：殻体、３７：サドル、３８：座棒、３９：固定部材、５０：動揺棒、６０：サスペンションアーム、６１：枢軸、６２：連動棒、６３：枢軸、６４：頂上端、６５：枢軸、
【図１】
0003146075.tif 000003
【図２】
0003146075.tif 000004
【図３】
0003146075.tif 000005
【図４】
0003146075.tif 000006
【図５】
0003146075.tif 000007
【図６】
0003146075.tif 000008